(57)【要約】【課題】  圧迫感や寝苦しさを生じさせず、しかも効果的に掛布団等の上掛け寝具の跳ね上げやずれ落ちを防止できる寝具のずれ落ち防止用具とその使用方法の提供。【解決手段】  平行な二辺を有するｎ角形であって、平行な二辺をそれらの中央で垂直に横切る線を中心として線対称である本体部と、当該平行な二辺の中の一辺の両端又は当該両端の各々から前記特定の平行な二辺の中の他方の辺に所定距離近づいた位置から、前記一辺を延長した方向に延びる少なくとも一組の帯状部とを備え、本体部の長さは５０乃至１２０ｃｍであり、本体部の幅はベッド用マットレスの幅の１／３乃至１倍であり、本体部の幅と一組の帯状部の幅との合計は（上掛け寝具の幅−１０ｃｍ）乃至（上掛け寝具の幅＋２０ｃｍ）であり、本体部の、帯状部が存在する部分より下の長さは４０ｃｍ乃至（本体部の長さ−２ｃｍ）である寝具のずれ落ち防止用具を用いる。【選択図】  図２
2008183116.tif 000002
【特許請求の範囲】
【請求項１】
少なくとも一組の平行な二辺を有するｎ角形（但し、ｎは偶数である）であって、特定の一組の平行な二辺をそれらの中央でそれら二辺に対して垂直に横切る線を中心として線対称である本体部と、前記特定の一組の平行な二辺の中の一辺の両端、又は、当該両端の各々から前記特定の平行な二辺の中の他方の辺に所定距離近づいた位置から、前記一辺を延長した方向に延びる少なくとも一組の帯状部とを備え、前記特定の一組の平行な二辺間の距離である本体部の長さは５０乃至１２０ｃｍであり、本体部の長さ方向と直交する本体部の幅は、ベッド用マットレスの幅の１／３乃至１倍であり、帯状部が存在する部分における本体部の幅と一組の帯状部の幅との合計は、（上掛け寝具の幅−１０ｃｍ）乃至（上掛け寝具の幅＋２０ｃｍ）であり、本体部の、帯状部が存在する部分より下の部分の長さは４０ｃｍ乃至（本体部の長さ−２ｃｍ）であることを特徴とする寝具のずれ落ち防止用具。
【請求項２】
本体部の前記特定の一組の平行な二辺の中の他方の辺の両側端部付近及び／又は帯状部先端部付近に、上掛け寝具に結合させるための結合手段を有する、請求項１に記載の寝具のずれ落ち防止用具。
【請求項３】
ｎ角形が四角形である、請求項１又は２に記載の寝具のずれ落ち防止用具。
【請求項４】
本体部の形状が正方形、長方形又は台形である、請求項３に記載の寝具のずれ落ち防止用具。
【請求項５】
織物、編物、不織布、フェルト、及びキルティング加工地からなる群から選択されるいずれかの材料製である、請求項１乃至４のいずれか一項に記載の寝具のずれ落ち防止用具。
【請求項６】
並置された、少なくとも一組の平行な二辺を有するｎ角形（但し、ｎは偶数である）であって、特定の一組の平行な二辺をそれらの中央でそれら二辺に対して垂直に横切る線を中心として線対称である本体部二つと、第一の本体部の前記特定の一組の平行な二辺の中の一辺の第二の本体部が存在しない側の端又は当該端から前記特定の一組の平行な二辺の中の他方の辺に所定距離近づいた位置から、前記一辺を延長した方向に延びる少なくとも一つの第一の帯状部と、第二の本体部の前記特定の一組の平行な二辺の中の一辺の第一の本体部が存在しない側の端又は当該端から前記特定の一組の平行な二辺の中の他方の辺に所定距離近づいた位置から、前記一辺を延長した方向に延びる少なくとも一つの第二の帯状部とを備え、第一の本体部の前記特定の一組の平行な二辺の中の一辺の他端から前記特定の一組の平行な二辺の中の他方の辺に所定距離近づいた位置までの間と、第二の本体部の前記特定の一組の平行な二辺の中の一辺の他端から前記特定の一組の平行な二辺の中の他方の辺に所定距離近づいた位置までの間は、直接結合しているか又は少なくとも一つの中間帯状部を介して間接的に結合されており、前記第一及び第二の本体部の各々の前記特定の一組の平行な二辺間の距離である第一及び第二の本体部の長さは、互いに同じであり且つ５０乃至１２０ｃｍであり、本体部の長さ方向と直交し、第一の本体部の外側端と第二の本体部の外側端との間の距離である幅は、ベッド用マットレスの幅の１／３乃至１倍であり、帯状部が存在する部分における二つの本体部の幅と一組の帯状部の幅、そして存在する場合には中間帯状部の幅との合計は、（上掛け寝具の幅−１０ｃｍ）乃至（上掛け寝具の幅＋２０ｃｍ）であり、第一及び第二の本体部の、第一及び第二の帯状部が存在する部分より下の部分の長さは４０ｃｍ乃至（本体部の長さ−２ｃｍ）であることを特徴とする寝具のずれ落ち防止用具。
【請求項７】
本体部の前記特定の一組の平行な二辺の中の他方の辺の両側端部付近及び／又は帯状部先端部付近に、上掛け寝具に結合させるための結合手段を有する、請求項６に記載の寝具のずれ落ち防止用具。
【請求項８】
ｎ角形が四角形である、請求項６又は７に記載の寝具のずれ落ち防止用具。
【請求項９】
本体部の形状が正方形、長方形又は台形である、請求項８に記載の寝具のずれ落ち防止用具。
【請求項１０】
織物、編物、不織布、フェルト、及びキルティング加工地からなる群から選択されるいずれかの材料製である、請求項６乃至９のいずれか一項に記載の寝具のずれ落ち防止用具。
【請求項１１】
請求項１乃至５のいずれか一項に記載の寝具のずれ落ち防止用具を、前記本体部の前記特定の一組の平行な二辺の中、帯状部側の一辺が頭部側、他方の辺が足元側となるように、そして、帯状部は各々ベッド基台の側面から垂れ下がり、前記本体部の一部はベッド基台の足元側の端部から垂れ下がるように、ベッド基台のマットレス載置部上であって足元側に置き、次いで、寝具のずれ落ち防止用具の上にベッド用マットレスを載置し、当該マットレス上に上掛け寝具を乗せ、前記寝具のずれ落ち防止用具の他方の辺の両側端部付近及び帯状部各々の先端部付近を上掛け寝具用カバー又は上掛け寝具に結合させることを特徴とする、寝具のずれ落ち防止用具の使用方法。
【請求項１２】
請求項１乃至５のいずれか一項に記載の寝具のずれ落ち防止用具であって、シングル・サイズのもの二枚を、前記本体部の前記特定の一組の平行な二辺の中、帯状部側の一辺が頭部側、他方の辺が足元側となるように、ベッド基台のマットレス載置部上であって足元側にベッド基台の幅方向に並置し、ここで、第一のずれ落ち防止用具の一方の帯状部と、第二のずれ落ち防止用具の、当該第一のずれ落ち防止用具の一方の帯状部とは反対の側の帯状部は、各々ベッド基台の側面から垂れ下がっており、第一及び第二のずれ落ち防止用具の本体部の一部はベッド基台の足元側の端部から垂れ下がっており、次いで、二枚の寝具のずれ落ち防止用具の上にベッド用マットレスを載置し、当該マットレス上に上掛け寝具を乗せ、前記第一及び第二のずれ落ち防止用具各々の本体部の他方の辺の両側端部付近及びベッド基台の側面から垂れ下がっている帯状部各々の先端部付近を上掛け寝具用カバー又は上掛け寝具に結合させることを特徴とする、寝具のずれ落ち防止用具の使用方法。
【請求項１３】
請求項６乃至１０記載の寝具のずれ落ち防止用具を、第一及び第二の本体部各々の前記特定の一組の平行な二辺の中、帯状部側の一辺が頭部側、他方の辺が足元側となるように、そして、帯状部は各々ベッド基台の側面から垂れ下がり、前記第一及び第二の本体部各々の一部はベッド基台の足元側の端部から垂れ下がるように、ベッド基台のマットレス載置部上であって足元側に置き、次いで、寝具のずれ落ち防止用具の上にベッド用マットレスを載置し、当該マットレス上に上掛け寝具を乗せ、前記寝具のずれ落ち防止用具の第一及び第二の本体部各々の他方の辺の両側端部付近及び帯状部各々の先端部付近を上掛け寝具用カバー又は上掛け寝具に結合させることを特徴とする、寝具のずれ落ち防止用具の使用方法。
【発明の詳細な説明】
【技術分野】
【０００１】
本発明は、上掛け寝具のずれ落ちや跳ね上げ防止用具及びその使用方法に関する。
【背景技術】
【０００２】
人は、就寝中に寝返りを打ったり、掛布団等の上掛け寝具を跳ね上げる。その結果、特にベッドで就寝している場合には、上掛け寝具がベッドからずれ落ち、これが寝冷えやカゼひきの原因の一つとなっている。また、人がベッドから立ち上がる際にも、上掛け寝具がずれ落ちることがある。
【０００３】
このような上掛け寝具のずれ落ちや跳ね上げを防止するための用具として、種々のものが提案されている。それらの中で、比較的簡便な構造で、布を使用しているものとして、特許文献１及び２に記載のものがある。
【０００４】
図１１に示すように、特許文献１に記載の布団の跳ね上げ防止具７００は、ベルト状の長尺物であって、長尺の第一の布地１の両端それぞれに伸縮材２，２が取り付けられ、それらの伸縮材２，２それぞれの他端には第二の布地３，３が取り付けられ、さらに、それら第二の布地３，３それぞれの他端には係合部材４ａ，４ｂが取り付けられているものである。この跳ね上げ防止具７００を使用する際には、第一の布地１の部分を敷布団等の敷寝具の下に配置し、伸縮材２，２と第二の布地３，３を上掛け寝具の上に配置し、そして、係合部材４ａ，４ｂによって係合する。係合により、ベルト状の長尺物が輪となり、上掛け寝具Ｆを止める。
【０００５】
特許文献１の布団の跳ね上げ防止具は、布団の長さ方向のおおよそ中央部で使用されるが、足元側は全く固定されていないので、この防止具より下側の足元付近では、布団の跳ね上げが生じる。また、布団の長さ方向のおおよそ中央部の一個所のみで固定しているため、寝返りや跳ね上げが激しいと、上掛け寝具のずれ落ちが生じることもある。
【０００６】
特許文献２には、図１２に示す、概略Ｔ字形状の布団ずり落ち防止カバー８００が開示されている。このカバー８００は、四角形の本体部６と、その上方左右に位置する帯状部５ａ，５ｂとからなるものである。このカバー８００の本体部６の幅Ｗ６は、本体部６全体にわたって上掛け寝具Ｆの幅に等しい、即ち、ベッド基台の幅よりも数十ｃｍ大きい。図７に示すように、このカバー８００は、ベッド基台Ｂのマットレス載置部上であってベッド用マットレスＭの下に載置される。そして、ベッドの下端（足元側）から本体部６の垂れ下がった部分を折り返して、マットレスＭの下端側面と上掛け寝具Ｆの下方部分（上掛け寝具Ｆの長さ方向で約１／３）であって表地の上を覆い、次いで、ベッド基台Ｂの左右に垂れ下がった帯状部５ａ，５ｂを折り返して、マットレスＭの横側面と上掛け寝具Ｆの下方部分とを、上掛け寝具Ｆの横側面から表地の幅方向中央に向って覆って使用する。このカバー８００の使用時の形態の特徴は、本体部６の上掛け寝具Ｆ上を覆っている部分のすべてが、帯状部５ａ，５ｂによって覆われていることと、帯状部５ａ，５ｂが一部重なっていることである。
【０００７】
特許文献２に記載の布団ずり落ち防止カバー８００を使用すると、上掛け寝具Ｆの足元側の長さ方向で約１／３の部分が、このカバー８００でしっかりと被覆されるため、上掛け寝具Ｆの跳ね上げやずれ落ちは生じ難い。しかし、その使用感は、上掛け寝具の足元側がマットレスと共に袋状のカバーに装入されている場合とほぼ同様であり、上掛け寝具がしっかりと被覆されているために圧迫感があり、また、寝返りを打ち辛く、さらに、特に夏季においては、上掛け寝具ＦとマットレスＭとの間における空気の流通が妨げられるために、寝苦しさを与えてしまう。
【０００８】
【特許文献１】実開平０７−２５８７６
【特許文献２】実開平０６−５０５７１
【発明の開示】
【発明が解決しようとする課題】
【０００９】
本発明の目的は、圧迫感や寝苦しさを生じさせず、しかも効果的に掛布団等の上掛け寝具の跳ね上げやずれ落ちを防止できる寝具のずれ落ち防止用具と、その使用方法を提供することにある。
【課題を解決するための手段】
【００１０】
本発明者は、上記課題を解決するために鋭意検討し、本発明を完成させた。
【００１１】
即ち第一の発明は、少なくとも一組の平行な二辺を有するｎ角形（但し、ｎは偶数である）であって、特定の一組の平行な二辺をそれらの中央でそれら二辺に対して垂直に横切る線を中心として線対称である本体部と、前記特定の一組の平行な二辺の中の一辺の両端、又は、当該両端の各々から前記特定の平行な二辺の中の他方の辺に所定距離近づいた位置から、前記一辺を延長した方向に延びる少なくとも一組の帯状部とを備え、前記特定の一組の平行な二辺間の距離である本体部の長さは５０乃至１２０ｃｍであり、本体部の長さ方向と直交する本体部の幅は、ベッド用マットレスの幅の１／３乃至１倍であり、帯状部が存在する部分における本体部の幅と二つの帯状部の幅との合計は、（上掛け寝具の幅−１０ｃｍ）乃至（上掛け寝具の幅＋２０ｃｍ）であり、本体部の、帯状部が存在する部分より下の部分の長さは４０ｃｍ乃至（本体部の長さ−２ｃｍ）であることを特徴とする寝具のずれ落ち防止用具に関する。
【００１２】
本体部の形状である「ｎ角形」は、正確にｎ角形である必要はない。例えば縫製の都合により、角部分が曲線状となっていてもよい。ｎは偶数であるから、「ｎ角形」は、四角形、六角形、八角形等である。
【００１３】
上記寝具のずれ落ち防止用具は、シングル、セミダブル、ダブル、ワイドダブル、クイーンサイズ等のベッド用マットレスや上掛け寝具のサイズに応じ、上記の大きさに関する限定を充足する範囲内において、適切な大きさで提供される。ベッド用マットレスや上掛け寝具のサイズは、当業者には公知である。なお、上記のサイズに関する限定は、ベッド用マットレスや上掛け寝具は各々一つのみが使用される場合を想定して規定されている。例えば、ダブル・サイズの寝具のずれ落ち防止用具の大きさを特定する際には、「上掛け寝具の幅」とは、ダブル・サイズの掛布団等の幅を指し、「ベッド用マットレスの幅」とは、ダブル・サイズのベッド用マットレスの幅を指す。
【００１４】
上記寝具のずれ落ち防止用具は、本体部の前記特定の一組の平行な二辺の中の他方の辺の両側端部付近及び／又は帯状部先端部付近に、上掛け寝具に結合させるための結合手段を有するものであってもよい。
【００１５】
本体部の形状は、四角形であることが好ましく、正方形、長方形又は台形であることが更に好ましく、正方形又は長方形であることが特に好ましい。
【００１６】
上記寝具のずれ落ち防止用具は、織物、編物、不織布、フェルト、及びキルティング加工地からなる群から選択されるいずれかの材料製であることが好ましい。
【００１７】
第二の発明は、並置された、少なくとも一組の平行な二辺を有するｎ角形（但し、ｎは偶数である）であって、特定の一組の平行な二辺をそれらの中央でそれら二辺に対して垂直に横切る線を中心として線対称である本体部二つと、第一の本体部の前記特定の一組の平行な二辺の中の一辺の第二の本体部が存在しない側の端又は当該端から前記特定の一組の平行な二辺の中の他方の辺に所定距離近づいた位置から、前記一辺を延長した方向に延びる少なくとも一つの第一の帯状部と、第二の本体部の前記特定の一組の平行な二辺の中の一辺の第一の本体部が存在しない側の端又は当該端から前記特定の一組の平行な二辺の中の他方の辺に所定距離近づいた位置から、前記一辺を延長した方向に延びる少なくとも一つの第二の帯状部とを備え、第一の本体部の前記特定の一組の平行な二辺の中の一辺の他端から前記特定の一組の平行な二辺の中の他方の辺に所定距離近づいた位置までの間と、第二の本体部の前記特定の一組の平行な二辺の中の一辺の他端から前記特定の一組の平行な二辺の中の他方の辺に所定距離近づいた位置までの間は、直接結合しているか又は少なくとも一つの中間帯状部を介して間接的に結合されており、前記第一及び第二の本体部の各々の前記特定の一組の平行な二辺間の距離である第一及び第二の本体部の長さは、互いに同じであり且つ５０乃至１２０ｃｍであり、本体部の長さ方向と直交し、第一の本体部の外側端と第二の本体部の外側端との間の距離である幅は、ベッド用マットレスの幅の１／３乃至１倍であり、帯状部が存在する部分における二つの本体部の幅と一組の帯状部の幅、そして存在する場合には中間帯状部の幅との合計は、（上掛け寝具の幅−１０ｃｍ）乃至（上掛け寝具の幅＋２０ｃｍ）であり、第一及び第二の本体部の、第一及び第二の帯状部が存在する部分より下の部分の長さは４０ｃｍ乃至（本体部の長さ−２ｃｍ）であることを特徴とする寝具のずれ落ち防止用具に関する。
【００１８】
本体部の形状である「ｎ角形」は、正確にｎ角形である必要はない。例えば縫製の都合により、角部分が曲線状となっていてもよい。また、第一及び第二の本体部は、形状が同じである必要はないが、本体部の外枠を構成する特定の一組の平行な二辺間の距離である長さは、第一及び第二の本体部において同じである。
【００１９】
上記第二の発明の寝具のずれ落ち防止用具も、第一の発明の寝具のずれ落ち防止用具と同様に、ベッド用マットレスのサイズや上掛け寝具のサイズに応じ、上記の大きさに関する限定を充足する範囲内において、適切な大きさで提供される。
【００２０】
上記第二の発明の寝具のずれ落ち防止用具は、本体部の前記特定の一組の平行な二辺の中の他方の辺の両側端部付近及び／又は帯状部先端部付近に、上掛け寝具に結合させるための結合手段を有するものであってもよい。
【００２１】
第二の発明の寝具のずれ落ち防止用具において、本体部の形状は、四角形であることが好ましく、正方形、長方形又は台形であることが更に好ましく、正方形又は長方形であることが特に好ましい。
【００２２】
上記第二の発明の寝具のずれ落ち防止用具は、織物、編物、不織布、フェルト、及びキルティング加工地からなる群から選択されるいずれかの材料製であることが好ましい。
【００２３】
第三の発明は、第一の発明の寝具のずれ落ち防止用具を、前記本体部の前記特定の一組の平行な二辺の中、帯状部側の一辺が頭部側、他方の辺が足元側となるように、そして、帯状部は各々ベッド基台の側面から垂れ下がり、前記本体部の一部はベッド基台の足元側の端部から垂れ下がるように、ベッド基台のマットレス載置部上であって足元側に置き、次いで、寝具のずれ落ち防止用具の上にベッド用マットレスを載置し、当該マットレス上に上掛け寝具を乗せ、前記寝具のずれ落ち防止用具の他方の辺の両側端部付近及び帯状部各々の先端部付近を上掛け寝具用カバー又は上掛け寝具に結合させることを特徴とする、寝具のずれ落ち防止用具の使用方法に関する。
【００２４】
第四の発明は、第一の発明の寝具のずれ落ち防止用具であって、シングル・サイズのもの二枚を、前記本体部の前記特定の一組の平行な二辺の中、帯状部側の一辺が頭部側、他方の辺が足元側となるように、ベッド基台のマットレス載置部上であって足元側にベッド基台の幅方向に並置し、ここで、第一のずれ落ち防止用具の一方の帯状部と、第二のずれ落ち防止用具の、当該第一のずれ落ち防止用具の一方の帯状部とは反対の側の帯状部は、各々ベッド基台の側面から垂れ下がっており、第一及び第二のずれ落ち防止用具の本体部の一部はベッド基台の足元側の端部から垂れ下がっており、次いで、二枚の寝具のずれ落ち防止用具の上にベッド用マットレスを載置し、当該マットレス上に上掛け寝具を乗せ、前記第一及び第二のずれ落ち防止用具各々の本体部の他方の辺の両側端部付近及びベッド基台の側面から垂れ下がっている帯状部各々の先端部付近を上掛け寝具用カバー又は上掛け寝具に結合させることを特徴とする、寝具のずれ落ち防止用具の使用方法に関する。
【００２５】
第四の発明は、シングル・サイズの第一の発明の寝具のずれ落ち防止用具二枚を使用して、ダブル・ベッド等の大きいサイズのベッドやマットレスにおいて、上掛け寝具のずれ落ちを防止しようとする場合の、寝具のずれ落ち防止用具の使用方法に関する。
【００２６】
第五の発明は、第二の発明の寝具のずれ落ち防止用具を、第一及び第二の本体部各々の前記特定の一組の平行な二辺の中、帯状部側の一辺が頭部側、他方の辺が足元側となるように、そして、帯状部は各々ベッド基台の側面から垂れ下がり、前記第一及び第二の本体部各々の一部はベッド基台の足元側の端部から垂れ下がるように、ベッド基台のマットレス載置部上であって足元側に置き、次いで、寝具のずれ落ち防止用具の上にベッド用マットレスを載置し、当該マットレス上に上掛け寝具を乗せ、前記寝具のずれ落ち防止用具の第一及び第二の本体部各々の他方の辺の両側端部付近及び帯状部各々の先端部付近を上掛け寝具用カバー又は上掛け寝具に結合させることを特徴とする、寝具のずれ落ち防止用具の使用方法に関する。
【００２７】
上記第三乃至第五の発明において、ベッド・パッドやシーツの使用には言及していないが、ベッド用マットレス上にベッド・パッドを載置したり、ベッド用マットレスをシーツで覆うことは、当然に予定されている。
【００２８】
上記第三乃至第五の発明において、上掛け寝具用カバーや上掛け寝具の、寝具のずれ落ち防止用具の本体部の他方の辺の両側端部付近や帯状部の先端部付近が結合される場所は、寝具のずれ落ち防止用具が届く個所である限り特に限定されず、上掛け寝具用カバーや上掛け寝具の表面、側面及び裏面（人体に接する方）の何れでもよいが、側面、特に表生地と裏生地との縫製個所が好ましい。
【００２９】
上記第三乃至第五の発明においては、第一及び第二の発明の寝具のずれ落ち防止用具を、上掛け寝具用カバー又は上掛け寝具に結合させている。上掛け寝具が掛布団や毛布のように、カバーをつけて使用されるものである場合には、一般には、上掛け寝具用カバーに結合させる。また、タオルケットのように、カバーをつけずに使用されるものである場合には、寝具のずれ落ち防止用具は上掛け寝具に直接結合させる。勿論、上掛け寝具用カバーと上掛け寝具の両者に、寝具のずれ落ち防止用具を結合させてもよい。
【発明の効果】
【００３０】
本発明により、就寝時に、圧迫感や寝苦しさを生じさせず、しかも上掛け寝具のずれ落ちや跳ね上げを防止することができるずれ落ち防止用具が提供される。本発明のずれ落ち防止用具の使用により、寝冷えやカゼひきが防止される。また、本発明のずれ落ち防止用具は上掛け寝具の固定位置が足元側であるので、本発明のずれ落ち防止用具を使用すれば、上掛け寝具の枕側を足元側に向って折り曲げることにより、ベッドから容易に立ち上がることができる。
【発明を実施するための最良の形態】
【００３１】
以下に、本発明を、図面を参照しながら、その実施のための最良の形態に基づいて説明する。
【００３２】
図１は、本発明における寝具のずれ落ち防止用具の本体部の形状の例を示す平面模式図である。本体部１０は、少なくとも一組の平行な二辺ａ，ｂを有する四角形、六角形等のｎ角形（但し、ｎは偶数である）であって、特定の一組の平行な二辺ａ，ｂをそれらの中央でそれら二辺ａ，ｂに対して垂直に横切る線ｌを中心として線対称であるという形状を有する。
【００３３】
図１（Ａ）に示す例では、本体部１０の形状は正方形であり、従って、平行な二辺の組は、辺ａ，ｂの組と辺ｃ，ｄの組の二組である。また、この正方形は、特定の一組の平行な二辺ａ，ｂをそれらの中央でそれら二辺ａ，ｂに対して垂直に横切る線ｌを中心として線対称である。図１（Ｂ）に示す例では、本体部１０の形状は長方形であり、従って、平行な二辺の組は、辺ａ，ｂの組と辺ｃ，ｄの組の二組である。また、この長方形は、特定の一組の平行な二辺ａ，ｂをそれらの中央でそれら二辺ａ，ｂに対して垂直に横切る線ｌを中心として線対称である。図１（Ｃ）に示す例では、本体部１０の形状は台形であり、従って、平行な二辺の組は、辺ａ，ｂの組のみである。また、この台形は、平行な二辺ａ，ｂをそれらの中央でそれら二辺ａ，ｂに対して垂直に横切る線ｌを中心として線対称である。図１（Ｄ）に示す例では、本体部１０の形状は六角形であり、従って、平行な二辺の組は、辺ａ，ｂの組と辺ｃ１，ｄ２の組と、辺ｃ２，ｄ１の三組である。また、この六角形は、特定の一組の平行な二辺ａ，ｂをそれらの中央でそれら二辺ａ，ｂに対して垂直に横切る線ｌを中心として線対称である。
【００３４】
図２は、第一の発明の寝具のずれ落ち防止用具の一例を示す平面模式図である。寝具のずれ落ち防止用具１００は、本体部１０と、帯状部３１，３２からなる。本体部１０の形状は、辺ａ，ｂ，ｃ，ｄを有する長方形である。本体部１０の平行な二辺の組である辺ａ，ｂの組と辺ｃ，ｄの組の中、特定の一組の平行な二辺は辺ａ，ｂであり、帯状部３１，３２は、その一組の平行な二辺である辺ａ，ｂの中の一辺（辺ａ）の両端ａ１，ａ２から、辺ａを同図中において左方向（帯状部３１の場合）及び右方向（帯状部３２の場合）へ延長した方向に延びている。なお、「特定の一組の平行な二辺」とは、図２に示すような方向で寝具のずれ落ち防止用具を描いたときに、上下の位置に配される平行な二辺をいう。
【００３５】
辺ａと辺ｂとの間の距離である本体部１０の長さｈは、５０乃至１２０ｃｍである。５０乃至１１０ｃｍであることが好ましく、５０乃至１００ｃｍであることが更に好ましい。５０ｃｍ未満であると、マットレスの下に配される部分の長さが短すぎるために、マットレスの下から飛び出してしまうことがある。長くしすぎると、上掛け寝具の表側を寝具のずれ落ち防止用具が覆うことになり、圧迫感を与えることになったり、マットレスの下に配される部分が無用に長くなったり、又はずれ落ち防止効果が不十分となる。
【００３６】
本体部１０の幅ｗ１０は、本体部１０の形状が長方形であるため、その長さ方向全体にわたって同じであり、ベッド用マットレスの幅の１／３乃至１倍である。幅ｗ１０は、ベッド用マットレスの幅の４０乃至９０％であることが好ましい。幅ｗ１０がベッド用マットレスの幅の１／３未満であると、マットレスの下において寝具のずれ落ち防止用具を保持する力が小さくなり、一方、ベッド用マットレスの幅を超えると、圧迫感を与えることになる。シングル・サイズの場合、ベッド用マットレスの幅は９０乃至１００ｃｍであるから、本体部１０の幅ｗ１０は、３０乃至１００ｃｍであり、４０乃至９０ｃｍであることが好ましい。
【００３７】
本体部１０の幅と二つの帯状部３１，３２の幅との合計、即ち、ｗ３１＋ｗ１０＋ｗ３２は、（上掛け寝具の幅−１０ｃｍ）乃至（上掛け寝具の幅＋２０ｃｍ）である。（上掛け寝具の幅）乃至（上掛け寝具の幅＋１０ｃｍ）であることが好ましい。このような大きさであれば、ベッド用マットレスの厚みも考慮すると、寝具のずれ落ち防止用具１００を使用する際、帯状部３１，３２の先端部付近であって上掛け寝具用カバー又は上掛け寝具と結合される位置は、上掛け寝具用カバーや上掛け寝具の側面（即ち、表側と裏側との縫製個所）付近となる。なお、帯状部３１の幅ｗ３１と帯状部３２ｗ３２は、互いに同じであっても異なっていてもよい。シングル・サイズの場合、上掛け寝具の幅は１２０乃至１５０ｃｍ（通常は１２０乃至１３０ｃｍ）であるから、ｗ３１＋ｗ１０＋ｗ３２は１１０乃至１７０ｃｍということになる。ｗ３１＋ｗ１０＋ｗ３２は、実際に使用する上掛け寝具の幅に応じて特定されることが好ましい。
【００３８】
本体部１０の帯状部３１，３２が存在する部分よりも下の部分の長さｈｕは、４０ｃｍ乃至（本体部１０の長さｈ−２ｃｍ）である。図２に示された例では、帯状部は一組しかないので、帯状部３１，３２の下端、即ち辺Ｉ，ＩＩの位置は、辺ａから本体部１０の長さｈ方向にｙｃｍ離れた位置にある。そして、ｙ＝２ｃｍ乃至（本体部１０の長さｈ−４０ｃｍ）である。
【００３９】
寝具のずれ落ち防止用具１００の本体部１０の特定の一組の平行な二辺ａ，ｂの中の他方の辺ｂの両側端部付近には、ボタン穴２１，２２が形成されており、また、帯状部３１，３２の各々の先端部付近にも、ボタン穴２３，２４が形成されている。寝具のずれ落ち防止用具１００は、上掛け寝具用カバー又は上掛け寝具の適切な位置に取り付けられたボタンを、これらのボタン穴に通すことにより、上掛け寝具カバー又は上掛け寝具と結合される。
【００４０】
図３は、第一の発明の寝具のずれ落ち防止用具の他の一例を示す平面模式図である。寝具のずれ落ち防止用具２００は、本体部１０と、帯状部３１，３２からなる。本体部１０の形状は、辺ａ，ｂ，ｃ，ｄを有する正方形である。
【００４１】
本体部１０の平行な二辺の組である辺ａ，ｂの組と辺ｃ，ｄの組の中、特定の一組の平行な二辺は辺ａ，ｂであり、帯状部３１，３２は、その一組の平行な二辺である辺ａ，ｂの中の一辺（辺ａ）の両端ａ１，ａ２の各々から、特定の一組の平行な二辺ａ，ｂの中の他方の辺である辺ｂの方へ所定距離近づいた位置（具体的的には、「長さｘ」だけ近づいた位置）から、辺ａを同図中において左方向（帯状部３１の場合）及び右方向（帯状部３２の場合）へ延長した方向に延びている。「長さｘ」は、帯状部３１，３２が配される位置と、帯状部３１，３２の長さｙに応じて特定される。なお、帯状部３１，３２が配される位置は、本体部１０の帯状部３１，３２が存在する部分よりも下の部分の長さｈｕが、４０ｃｍ乃至（本体部１０の長さｈ−２ｃｍ）の範囲内となるような位置である。図３に示された例では、帯状部は一組しかないので、帯状部３１，３２の下端、即ち辺Ｉ，ＩＩの位置は、辺ａから本体部１０の長さｈ方向に（ｘ＋ｙ）ｃｍ離れた位置にある。そして、ｘ＋ｙの値は、２ｃｍ乃至（本体部１０の長さｈ−４０ｃｍ）の範囲内である。
【００４２】
寝具のずれ落ち防止用具２００の本体部１０の前記特定の一組の平行な二辺ａ，ｂの中の辺ｂの両側端部付近には、面テープ（マジック・テープ（登録商標））２５，２６が結合されており、また、帯状部３１，３２の各々の先端部付近にも、面テープ２７，２８が結合されている。寝具のずれ落ち防止用具２００は、上掛け寝具用カバー又は上掛け寝具の適切な位置に結合されている面テープに、これらの面テープを係合させることにより、上掛け寝具用カバー又は上掛け寝具と結合される。
【００４３】
寝具のずれ落ち防止用具２００の他の個所の説明は、寝具のずれ落ち防止用具１００についての説明と同様となるので、省略する。
【００４４】
図４は、第一の発明の寝具のずれ落ち防止用具の更に他の一例を示す平面模式図である。寝具のずれ落ち防止用具５００は、本体部１０と、帯状部３１，３２の組と、帯状部３３，３４の組からなる。本体部１０の形状は、辺ａ，ｂ，ｃ，ｄを有する正方形である。
【００４５】
本体部１０の平行な二辺の組である辺ａ，ｂの組と辺ｃ，ｄの組の中、特定の一組の平行な二辺は辺ａ，ｂであり、帯状部３１，３２は、その一組の平行な二辺である辺ａ，ｂの中の一辺（辺ａ）の両端ａ１，ａ２の各々から、辺ａを同図中において左方向（帯状部３１の場合）及び右方向（帯状部３２の場合）へ延長した方向に延びており、また、帯状部３３，３４は、帯状部３１，３２の下端から、特定の一組の平行な二辺ａ，ｂの中の他方の辺である辺ｂの方へ所定距離近づいた位置（具体的的には、「長さｖ」だけ近づいた位置）から、辺ａを同図中において左方向（帯状部３３の場合）及び右方向（帯状部３４の場合）へ延長した方向に延びている。
【００４６】
帯状部３１，３２，３３，３４が配される位置は、本体部１０の帯状部３１，３２，３３，３４が存在する部分よりも下の部分、図４に示された例では帯状部３３，３４が存在する部分よりも下の部分の長さｈｕが、４０ｃｍ乃至（本体部１０の長さｈ−２ｃｍ）の範囲内となるような位置である。この条件を充足する限りにおいて、帯状部３１，３２の長さｙ１、帯状部３３，３４の長さｙ２、及び帯状部３１と帯状部３３との間の長さｖや帯状部３２と帯状部３４との間の長さｖは、特に限定されない。
【００４７】
寝具のずれ落ち防止用具５００のように、帯状部は、二組以上存在していてもよい。帯状部が二組以上存在する場合には、各組（即ち、左右一組）の帯状部が存在する部分において、本体部１０の幅と一組の帯状部の幅との合計、即ち、図４に示された例においてはｗ３１＋ｗ１０＋ｗ３２とｗ３３＋ｗ１０＋ｗ３４の各々が、（上掛け寝具の幅−１０ｃｍ）乃至（上掛け寝具の幅＋２０ｃｍ）である。この条件を充足する限り、個々の帯状部３１，３２，３３，３４の幅ｗ３１，ｗ３２，ｗ３３，ｗ３４は、互いに同じであっても異なっていてもよい。
【００４８】
第一の発明の寝具のずれ落ち防止用具において、帯状部の長さｙ，ｙ１，ｙ２は、帯状部と上掛け寝具用カバー又は上掛け寝具との結合に支障のない長さであればよく、好ましくは１乃至２５ｃｍ、更に好ましくは２乃至２２ｃｍ、更により好ましくは３乃至１８ｃｍ、特に好ましくは４乃至１５ｃｍである。また、図３に示された例における「長さｘ」や図４に示された例における「長さｖ」は、帯状部が存在する部分よりも下の部分の長さｈｕが４０ｃｍ乃至（本体部１０の長さｈ−２ｃｍ）の範囲内であるという条件を充足する限りにおいて、個々の帯状部の長さｙ，ｙ１，ｙ２との関係において特定される。なお、「長さｘ」や「長さｖ」は、通常は１乃至１５ｃｍ、好ましくは３乃至１２ｃｍ、更により好ましくは５乃至１０ｃｍである。
【００４９】
図５は、第二の発明の寝具のずれ落ち防止用具の一例を示す平面模式図である。寝具のずれ落ち防止用具３００は、第一の本体部１１と、第二の本体部１２と、帯状部３５，３６からなる。第一の本体部１１の形状は、二組の平行な二辺、即ち、辺ｅと辺ｆとの組と、辺ｇと辺ｋとの組を有し、辺ｅ，ｆをそれらの中央で垂直に横切る線（図示せず）を中心として線対称である四角形、より具体的には長方形であり、第二の本体部１２の形状は、二組の平行な二辺、即ち、辺ｏと辺ｐとの組と、辺ｑと辺ｒとの組を有し、辺ｏ，ｐをそれらの中央で垂直に横切る線（図示せず）を中心として線対称である四角形、より具体的には長方形である。
【００５０】
帯状部３５は、第一の本体部１１の前記二組の平行な二辺の中の、特定の一組の平行な二辺である辺ｅと辺ｆの中の一辺（辺ｅ）の両端ｅ１，ｅ２の中、第二の本体部１２が存在しない側の端ｅ１から、辺ｅを同図中において左方向へ延長した方向に延びている。帯状部３６は、第二の本体部１２の前記二組の平行な二辺の中の、特定の一組の平行な二辺である辺ｏと辺ｐの中の一辺（辺ｏ）の両端ｏ１，ｏ２の中、第一の本体部１１が存在しない側の端ｏ２から、辺ｏを同図中において右方向へ延長した方向に延びている。
【００５１】
第一の本体部１１の前記特定の一組の平行な二辺の中の一辺（辺ｅ）の帯状部３５がない方の端である他端ｅ２から、他方の辺（辺ｆ）に所定距離近づいた位置までの間は、第二の本体部１２の前記特定の一組の平行な二辺の中の一辺（辺ｏ）の帯状部３６がない方の端である他端ｏ１から、他方の辺（辺ｐ）に所定距離近づいた位置までの間と、直接結合している。この結合している個所は、図５において符号ｓが付された破線で示されている。第一の本体部１１と第二の本体部１２とが結合している個所の長さは、特に限定されないが、第一及び第二の本体部１１，１２の長さｈの、好ましくは１乃至９９％、更に好ましくは５乃至９０％、更により好ましくは１０乃至８０％、特に好ましくは１５乃至７０％である。なお、辺ｅと辺ｆとの間の距離である第一の本体部１１の長さｈは、辺ｏと辺ｐとの間の距離である本体部１２の長さｈと同じであり、且つ５０乃至１２０ｃｍである。長さｈは、５０乃至１１０ｃｍであることが好ましく、５０乃至１００ｃｍであることが更に好ましい。
【００５２】
第一の本体部１１の外側端、即ち辺ｇと、第二の本体部１２の外側端、即ち辺ｒとの間の距離は、寝具のずれ落ち防止用具３００においては、第一の本体部１１の幅と第二の本体部１２の幅との合計ｗ１１２と同じであるが、それは、ベッド用マットレスの幅の１／３乃至１倍である。幅ｗ１１２は、ベッド用マットレスの幅の４０乃至９０％であることが好ましい。ダブル・サイズの場合、ベッド用マットレスの幅は１４０ｃｍであるから、前記距離ｗ１１２は、４６．７乃至１４０ｃｍである。
【００５３】
帯状部３５，３６が存在する部分における二つの本体部１１，１２の幅と二つの帯状部３５，３６の幅の合計、即ちｗ３５＋ｗ１１２＋ｗ３６は、（上掛け寝具の幅−１０ｃｍ）乃至（上掛け寝具の幅＋２０ｃｍ）である。（上掛け寝具の幅）乃至（上掛け寝具の幅＋１０ｃｍ）であることが好ましい。なお、ダブル・サイズの場合、上掛け寝具の幅は１９０ｃｍであるから、ｗ３５＋ｗ１１２＋ｗ３６は１８０乃至２１０ｃｍということになる。
【００５４】
第一及び第二の本体部１１，１２の帯状部３５，３６が存在する部分よりも下の部分の長さｈｕは、４０ｃｍ乃至（本体部１０の長さｈ−２ｃｍ）である。図５に示された例では、帯状部は一組しかないので、帯状部３５，３６の下端、即ち辺Ｉ，ＩＩの位置は、辺ａから本体部１０の長さｈ方向にｙｃｍ離れた位置にある。そして、ｙ＝２ｃｍ乃至（本体部１０の長さｈ−４０ｃｍ）である。帯状部３５，３６の長さｙは、帯状部と上掛け寝具用カバー又は上掛け寝具との結合に支障のない長さであればよく、好ましくは１乃至２５ｃｍ、更に好ましくは２乃至２２ｃｍ、更により好ましくは３乃至１８ｃｍ、特に好ましくは４乃至１５ｃｍである。
【００５５】
図６は、第二の発明の寝具のずれ落ち防止用具の他の一例を示す平面模式図である。寝具のずれ落ち防止用具４００は、第一の本体部１３と、第二の本体部１４と、帯状部３７，３８と、中間帯状部３９からなる。第一の本体部１３の形状は、一組の平行な二辺、即ち、辺ｅと辺ｆとの組を有する四角形、より具体的には台形であり、第二の本体部１４の形状は、一組の平行な二辺、即ち、辺ｏと辺ｐとの組を有する四角形、より具体的には台形である。
【００５６】
寝具のずれ落ち防止用具４００の、第一の本体部１３の外側端（辺ｇ）と第二の本体部１４の外側端（辺ｒ）との間の距離である幅は、ベッド用マットレスの幅の１／３乃至１倍である。この図６においては最も狭い幅であるｗ２０も、最も広い幅であるｗ１００も、いずれもベッド用マットレスの幅の１／３乃至１倍であることを要する。ダブル・サイズの場合、ベッド用マットレスの幅は１４０ｃｍであるから、４６．７ｃｍ乃至１４０ｃｍである。
【００５７】
帯状部３７は、第一の本体部１３の平行な二辺、即ち、辺ｅと辺ｆの中の一辺（辺ｅ）の両端ｅ１，ｅ２の中、第二の本体部１４が存在しない側の端ｅ１から、辺ｅを同図中において左方向へ延長した方向に延びている。帯状部３８は、第二の本体部１４の平行な二辺、即ち、辺ｏと辺ｐの中の一辺（辺ｏ）の両端ｏ１，ｏ２の中、第一の本体部１３が存在しない側の端ｏ２から、辺ｏを同図中において右方向へ延長した方向に延びている。
【００５８】
この例では、第一の本体部１３の平行な二辺、即ち、辺ｅと辺ｆの中の一辺（辺ｅ）の帯状部３７がない方の端である他端ｅ２から、他方の辺（辺ｆ）に所定距離（ｚ）近づく位置までの間（図６において符号ｔで示されている破線の部分）は、第二の本体部１４の平行な二辺、即ち、辺ｏと辺ｐの中の一辺（辺ｏ）の帯状部３８がない方の端である他端ｏ１から、他方の辺（辺ｐ）に所定距離（ｚ）近づく位置までの間（図６において符号ｕで示されている破線の部分）とは、直接結合せず、中間帯状体３９を介して間接的に結合されている。符号ｔ，ｕで示されている個所の長さは、特に限定されないが、第一及び第二の本体部１３，１４の辺ｋ、ｑの長さの、好ましくは１乃至９９％、更に好ましくは５乃至９０％、更により好ましくは１０乃至８０％、特に好ましくは１５乃至７０％である。所定距離ｚは、符号ｔ，ｕで示されている個所の長さが決まればそれに連動して定まる。なお、辺ｅと辺ｆとの間の距離である第一の本体部１３の長さｈは、辺ｏと辺ｐとの間の距離である本体部１４の長さｈと同じであり、且つ５０乃至１２０ｃｍである。長さｈは、好ましくは５０乃至１１０ｃｍであり、更に好ましくは５０乃至１００ｃｍである。
【００５９】
帯状部３７，３８が存在する部分における二つの本体部１３，１４の幅と二つの帯状部３７，３８の幅と、中間帯状部３９の幅との合計は、（上掛け寝具の幅−１０ｃｍ）乃至（上掛け寝具の幅＋２０ｃｍ）、好ましくは（上掛け寝具の幅）乃至（上掛け寝具の幅＋１０ｃｍ）である。なお、ダブル・サイズの場合、上記合計値は、１８０乃至２１０ｃｍということになる。
【００６０】
本体部１３，１４の帯状部３７，３８が存在する部分よりも下の部分の長さｈｕは、４０ｃｍ乃至（本体部１０の長さｈ−２ｃｍ）である。図６に示された例では、帯状部は一組しかないので、帯状部３７，３８の下端、即ち辺Ｉ，ＩＩの位置は、辺ａから本体部１３，１４の長さｈ方向にｙｃｍ離れた位置にある。そして、ｙ＝２ｃｍ乃至（本体部１０の長さｈ−４０ｃｍ）である。
【００６１】
第二の発明の特徴の中、第一の発明の特徴と同様である事柄、例えば数値限定の理由については、第一の発明についての説明を援用する。
【００６２】
図２乃至図４に示した例の説明においては、数値はシングル・サイズの場合を例として取り上げ、また、図５及び図６に示した例の説明においては、数値はダブル・サイズの場合を例として取り上げたが、図２乃至図４に示した例は、シングル・サイズ用というわけではなく、セミダブル、ダブル等の他のサイズ用のものであってもよい。また、同様に、図５及び図６に示した例は、ダブル・サイズ用というわけではなく、シングル、セミダブル等の他のサイズ用のものであってもよい。
【００６３】
本発明に係る寝具のずれ落ち防止用具の材質は特に限定されないが、織物、編物、不織布、フェルト、及びキルティング加工地からなる群から選択されるいずれかの材料であることが好ましい。ここで、材料として編物を使用すると、伸縮するという特徴が得られるが、本発明の寝具のずれ落ち防止用具は、その材料が伸縮しなくても、十分に機能する。
【００６４】
本発明に係る寝具のずれ落ち防止用具を使用する際には、上掛け寝具用カバー又は上掛け寝具に結合する。この結合に使用するものは、特に限定されないが、例を挙げると、安全ピン、ボタンとボタン穴との組合せ、紐、面テープ（マジック・テープ（登録商標））等がある。寝具のずれ落ち防止用具は、本体部の下方の両側端部付近及び／又は帯状部先端部付近に、ボタン又はボタン穴、紐、面テープ等の、上掛け寝具に結合させるための結合手段を有することが好ましい。
【００６５】
次に、図７乃至図９を参照しながら、第三の発明である寝具のずれ落ち防止用具の使用方法について説明する。図７乃至図９では、図２に示す寝具のずれ落ち防止用具１００を使用している。
【００６６】
先ず、図７に示すように、寝具のずれ落ち防止用具１００の本体部１０の特定の一組の平行な二辺ａ，ｂの中、帯状部３１，３２側の一辺である辺ａが頭部側、他方の辺である辺ｂが足元側となるように、そして、二つの帯状部３１，３２は各々ベッド基台Ｂの側面から垂れ下がり、本体部１０の一部はベッド基台の足元側の端部から垂れ下がるように、ベッド基台Ｂのマットレス載置部上であって足元側に置く。
【００６７】
次いで、図８に示すように、寝具のずれ落ち防止用具１００の上にベッド用マットレスＭを載置する。その後、図９に示すように、マットレスＭ上に上掛け寝具（上掛け寝具用カバーで覆われていてもよい）Ｆを乗せ、寝具のずれ落ち防止用具１００の本体部１０の足元側の一辺ｂの両側端部付近及び二つの帯状部３１，３２各々の先端部付近に形成されたボタン穴２１，２２，２３，２４（ボタン穴２４は図示せず）に、上掛け寝具用カバー又は上掛け寝具Ｆに縫い付けられたボタンを通すことにより、寝具のずれ落ち防止用具１００を上掛け寝具用カバー又は上掛け寝具Ｆに結合させる。
【００６８】
図３に示されたずれ落ち防止用具２００を用いる場合も、上記と同様である。図４に示された寝具のずれ落ち防止用具５００を用いる場合には、上掛け寝具用カバー又は上掛け寝具Ｆに結合させる部位が、帯状部の数が多い分だけ多くなるが、その他の点は寝具のずれ落ち防止用具１００を用いる場合と同様である。
【００６９】
さらに、図１０を参照しながら、第四の発明である寝具のずれ落ち防止用具の使用方法について説明する。第四の発明では、第一の発明のずれ落ち防止用具の中、シングル・サイズのもの二つを使用する。
【００７０】
先ず、図１０に示すように、二枚の寝具のずれ落ち防止用具１００，１００を、それらの本体部１０の特定の平行な二辺ａ，ｂの中、帯状部３１，３２側の一辺である辺ａが頭部側、他方の辺である辺ｂが足元側となるように、そして、一方の寝具のずれ落ち防止用具１００の帯状部３１と、他方の寝具のずれ落ち防止用具１００の帯状部３２とがベッド基台Ｂの側面から垂れ下がり、また、二枚の寝具のずれ落ち防止用具１００，１００各々の本体部１０，１０の一部はベッド基台Ｂの足元側の端部から垂れ下がるように、そして、ベッド基台Ｂの側面から垂れ下がっていない帯状部３２，３１は、互いに他方のずれ落ち防止用具１００，１００の本体部１０，１０に重なるように、ベッド基台Ｂのマットレス載置部上であって足元側に、ベッド基台Ｂの幅方向に並置させる。
【００７１】
次いで、寝具のずれ落ち防止用具１００，１００の上にベッド用マットレスを載置する。その後、マットレス上に上掛け寝具（上掛け寝具用カバーで覆われていてもよい）Ｆを乗せ、二枚の寝具のずれ落ち防止用具１００，１００各々の本体部１０，１０の足元側の辺ｂ，ｂの両側端部付近及びベッド基台の側面から垂れ下がっていた二つの帯状部３１，３２の各々の先端部付近を上掛け寝具用カバー又は上掛け寝具Ｆに結合させる。
【００７２】
第五の発明である寝具のずれ落ち防止用具の使用方法は、使用するずれ落ち防止用具が例えば図５や図６に示されたずれ落ち防止用具のような第二の発明の寝具のずれ落ち防止用具であることと、当該ずれ落ち防止用具を上掛け寝具用カバー又は上掛け寝具に結合させる個所が、二つの本体部各々の足元側の辺の両側端部付近と二つの帯状部各々の先端付近の六個所となること以外は、第三の発明と同様である。
【００７３】
上記第三乃至第五の発明において、本体部のマットレスの下に敷かれる部分の長さ、例えば図７における長さｉは、本発明のずれ落ち防止用具の本体部の長さと、ベッド用マットレスの厚み（通常は２０乃至３０ｃｍ）によるが、通常は２０乃至９０ｃｍであり、好ましくは３０乃至８０ｃｍである。
【実施例】
【００７４】
（寝具のずれ落ち防止用具の製造と使用）
綿ブロードを用い、概略、図２に示す形状の寝具のずれ落ち防止用具を製造した。周囲の仕末は、バイアス・テープを用いて巻縫いで行なった。また、本体部と帯状部とを結合する個所は、本体部用の布と帯状部用の布の両者を挟み込んで、バイアス・テープで巻縫いを行なった。角部は、いずれも、曲線状となるように縫製した。本体部の幅ｗ１０は７５ｃｍ、帯状部３１，３２の幅Ｗ３１，Ｗ３２は、それぞれ３０ｃｍであった。ボタン穴は形成しなかった。
【００７５】
この寝具のずれ落ち防止用具を、図７に示すように、シングル・サイズのベッド基台Ｂのマットレス載置部上におき、図８に示すように、その上にマットレスＭを乗せた。マットレスＭにシーツを被せた後、布団カバーをかけたシングル・サイズの羽毛掛け布団Ｆを載せた。寝具のずれ落ち防止用具の本体部の下部（辺ｂに近い部分）の両側端部付近と、帯状部の先端部付近を、安全ピンで羽毛布団に留めた。この際の状態は、ボタンとボタン穴での結合の代わりに安全ピンを用いたこと以外は、図９に示すとおりである。
【００７６】
以上のようにセットしたベッドにて就寝したところ、圧迫感はなく、しかも、掛け布団がずれ落ちることもなかった。この寝具のずれ落ち防止用具では、掛け布団と結合されているのが足元側のみであることと、足元側も、掛け布団と結合されていない個所（掛け布団の足元側の両側端部付近）があるため、圧迫感がなく且つ足を自由に動かすことができるのである。
【図面の簡単な説明】
【００７７】
【図１】第一の発明の寝具のずれ落ち防止用具の本体部の形状を説明するための平面模式図である。
【図２】第一の発明の寝具のずれ落ち防止用具の一例を示す平面模式図である。
【図３】第一の発明の寝具のずれ落ち防止用具の他の一例を示す平面模式図である。
【図４】第一の発明の寝具のずれ落ち防止用具のさらに他の一例を示す平面模式図である。
【図５】第二の発明の寝具のずれ落ち防止用具の一例を示す平面模式図である。
【図６】第二の発明の寝具のずれ落ち防止用具の他の一例を示す平面模式図である。
【図７】本発明に係る寝具のずれ落ち防止用具の使用方法を説明するための斜視図である。
【図８】本発明に係る寝具のずれ落ち防止用具の使用方法を説明するための斜視図である。
【図９】本発明に係る寝具のずれ落ち防止用具の使用方法を説明するための斜視図である。
【図１０】本発明に係る寝具のずれ落ち防止用具の使用方法を説明するための斜視図である。
【図１１】特許文献１に記載された布団の跳ね上げ防止具の一例を示す平面模式図である。
【図１２】特許文献２に記載された布団のずり落ち防止カバーの一例を示す平面模式図である。
【図１３】特許文献２に記載された布団のずり落ち防止カバーの使用方法を説明するための斜視図である。
【符号の説明】
【００７８】
１０，１１，１２，１３，１４  本体部
３１，３２，３５，３６，３７，３８  帯状部
１００，２００，３００，４００，５００  寝具のずれ落ち防止用具
Ｂ  ベッド基台
Ｍ  マットレス
Ｆ  上掛け寝具用カバー又は上掛け寝具
【図１】
2008183116.tif 000003
【図２】
2008183116.tif 000004
【図３】
2008183116.tif 000005
【図４】
2008183116.tif 000006
【図５】
2008183116.tif 000007
【図６】
2008183116.tif 000008
【図７】
2008183116.tif 000009
【図８】
2008183116.tif 000010
【図９】
2008183116.tif 000011
【図１０】
2008183116.tif 000012
【図１１】
2008183116.tif 000013
【図１２】
2008183116.tif 000014
【図１３】
2008183116.tif 000015